(57)【要約】      （修正有）【課題】屋根下地と瓦裏面に挟まれた空間の空気を滞りなく通風させる。【解決手段】屋根下地Ｒ上に棟に平行状に付設する瓦桟本体１の上面２において、棟側の位置を瓦Ｗの剣Ｓの受承部３とし、該受承部３より軒側の位置に剣Ｓの係止部４ａを突設することによって、瓦桟本体１上に剣Ｓを載置固定し、瓦Ｗの裏面全体を瓦桟本体１の上面２から離間させて、通風隙間Ｈを形成する。【選択図】図３
2006342536.tif 000002
【特許請求の範囲】
【請求項１】
屋根下地上に棟に平行状に付設する瓦桟本体の上面において、棟側の位置を瓦の剣の受承部とし、該受承部より軒側の位置に剣の係止部を突設したことを特徴とする瓦桟。
【請求項２】
係止部の位置を瓦桟本体の長手方向であって付設時における屋根幅方向に変更自在としたことを特徴とする請求項１記載の瓦桟。
【請求項３】
係止部における受承部側の立面の一側寄りに係止片を突設したことを特徴とする請求項１又２記載の瓦桟。
【請求項４】
係止部を２個一組とし、一方の係止部のみに係止片を突設したことを特徴とする請求項３記載の瓦桟。
【発明の詳細な説明】
【技術分野】
【０００１】
本発明は、屋根の下地表面と瓦裏面に挟まれた空間全体の空気を滞留させずに、通風自
在となした瓦桟に関する。
【背景技術】
【０００２】
従来、瓦を葺設する際は、屋根下地の適切箇所に角材を横臥状態にて棟に略平行に配設
して、横桟木とし、この横桟木の棟側面に瓦の裏面尻側に突設した剣（山形突起）を引っ
掻け、横桟木上面に瓦の裏面を当接させて載置する様にしていた。
【０００３】
研究開発段階や出願段階で先行技術調査を行っておらず、記載すべき先行技術文献を知
りません。
【発明の開示】
【発明が解決しようとする課題】
【０００４】
しかしながら、上記葺設方法では、横桟木の上面と瓦の裏面が直接接触するため、平板
瓦にあっては、接触部分は瓦裏面の全幅にわたり、また山部と谷部を有する所謂桟瓦にあ
っても、山部で隙間が空いても、谷部では瓦裏面が接触するため、これら接触部分が空気
の流通を堰き止めてしまって、屋根の下地表面と瓦裏面に挟まれた空間の空気は所々で滞
留し、例えば梅雨時には湿った空気が逃げずに、屋根下地が腐朽し易くなったり、夏季に
は熱が逃げずにこもってしまう等の問題があった。
又、屋根換気を図るため、棟部に設ける換気構造や、通気孔を有する換気瓦が従前より
種々提供されているが、例えこれらを使用しても、上記の通り空気が所々で滞留するため
、屋根下地と瓦裏面に挟まれた空間の空気を完全に換気することは出来なかった。
【課題を解決するための手段】
【０００５】
本発明は、上記課題に鑑み、屋根下地上に棟に平行状に付設する瓦桟本体の上面におい
て、棟側の位置を瓦の剣の受承部とし、該受承部より軒側の位置に剣の係止部を突設する
ことによって、瓦桟本体上に剣を載置固定し、瓦の裏面全体を瓦桟本体の上面から離間さ
せて、通風隙間を形成し、屋根下地と瓦裏面に挟まれた空間の空気全体を滞りなく通風さ
せる様にして、上記課題を解決する。
【発明の効果】
【０００６】
要するに本発明は、屋根下地上に棟に平行状に付設する瓦桟本体の上面において、棟側
の位置を瓦の剣の受承部とし、該受承部より軒側の位置に剣の係止部を突設したので、受
承部に瓦裏面の剣を載置する共に、該剣を係止部に引っ掻け固定することによって、瓦の
尻側を剣で支持し、尻側裏面全体を瓦桟本体上面から浮き上がらせ、通風可能な隙間を形
成することが出来る。
従って、屋根下地と瓦裏面に挟まれた空間の空気は何処でもスムーズに移動でき、軒先
では自然の風により負圧が発生するため、軒先から隙間の空気は吸い出され、また棟部に
既知の適宜換気構造を付設したり、換気機能を有する換気瓦を屋根の所々に葺設すれば、
屋根下地と瓦裏面に挟まれた空間全体の空気は棟部や換気瓦から、滞りなく換気されるこ
とから、湿気や熱を排出して、屋根下地の腐朽を防止でき、また夏季には放熱して蓄熱の
防止を図ることが出来る。
【０００７】
係止部の位置を瓦桟本体の長手方向であって付設時における屋根幅方向に変更自在とし
たので、瓦の種別に制約されることがなく、剣間隔の異なる様々な形態、サイズの瓦に対
応させることが出来る。
【０００８】
係止部における受承部側の立面の一側寄りに係止片を突設したので、予め係止部の位置
を適切に設定して、受承部に載置した瓦の剣の側部を係止片に当接させれば、瓦が適切に
位置決めされ、瓦の列が歪まず、外観良く綺麗に葺設することが出来る。
【０００９】
一般的に剣は瓦裏面尻側に２個突設されているが、係止部を２個一組としたので、２個
の剣を共に係止部に引っ掛け、瓦を安定させることが出来る。
又、一方の係止部だけ係止片を突設したので、剣の一方を当接させれば良いため、剣間
隔に規制されずに、種々の瓦に対応させることが出来る等その実用的効果甚だ大である。
【発明を実施するための最良の形態】
【００１０】
以下本発明の一実施例を図面に基づいて説明する。
本発明に係る瓦桟の基本構成を実施例１として図１〜３に示す。
図１は本発明に係る瓦桟の斜視図、図２及び３は同上瓦桟を使用し瓦を葺設した状態を
示す概略断面図であり、図２は瓦の剣突設部位での概略断面を示し、図３では２個の剣間
の中心部位での概略断面を示している。
尚、瓦桟の構成をより明確に示すため、図１では図中手前側を瓦桟の奥側（屋根下地上
に付設した時の棟側）としている。
本発明に係る瓦桟は、長尺角材形状の瓦桟本体１の上面２において、その短手方向であ
って屋根下地上に付設した時の棟側の位置を瓦の剣の受承部３、3a…とし、該受承部３、
3a…より軒側の位置に剣の係止部４、4a…を突設している。
【００１１】
使用に際しては、図２及び３に示す様に、先ず従前の瓦桟と同じく屋根下地Ｒの適切箇
所に本発明の瓦桟を配設する。
次に、瓦Ｗの裏面尻側の剣（山形突起）Ｓを瓦桟本体１の上面２の受承部３、3a…に載
置すると共に、剣Ｓの頭側面を係止部４、4a…に当接して、剣Ｓを係止部４、4a…に引っ
掻ける。
すると、瓦Ｗは瓦桟本体１上に剣Ｓで支持され、一般に剣Ｓは桟瓦の谷部の裏面に位置
するから、瓦Ｗの山部だけでなく、剣Ｓの高さ分だけ瓦桟本体１から瓦Ｗの裏面谷部は離
間し、瓦Ｗ裏面と瓦桟本体１との間に通風可能な隙間Ｈが形成される。
尚、平板瓦であれば、当然ながら瓦Ｗの裏面尻側全幅にわたり、略同間隔の隙間Ｈが形
成される。
【００１２】
更に、上記基本構成に加え、係止部４、4a…を瓦桟本体１の長手方向であって付設時に
おける屋根幅方向に変更自在としても良く、例えば図４（実施例２の瓦桟の斜視図）に示
す様に、瓦桟本体１の上面にその長手方向に蟻溝５を設け、該蟻溝５に係止部４、4a…を
摺動自在に嵌設して、係止部４、4a…の位置を変更自在とすれば良い。
【００１３】
図５は実施例３の瓦桟の斜視図、図６及び７は同上瓦桟を使用し瓦を葺設した状態を示
す図であり、図６は平面図、図７は図６に対応する部分拡大背面図である。
実施例３の瓦桟は、図５に示す様に、係止部４、4a…において、瓦桟本体１の受承部３
、3a…側に位置する立面６の一側寄りに係止片７を突設しており、図６及び７に示す様に
、受承部３、3a…上に載置した瓦Ｗの剣Ｓの側部を係止片７に当接させれば、瓦Ｗは縦方
向だけでなく横方向においても位置決めされる。
上記実施例３では、係止部４、4a…を２個一組とし、一方の係止部４、4b…のみに係止
片７を突設したものを示したが、例えば係止部４、4a…が位置変更自在の場合は、全ての
係止部４、4a…に係止片７を突設しても良い。
【００１４】
以上の通り、本発明の瓦桟を使用すれば、瓦の種類を問わず、瓦Ｗの裏面尻側と瓦桟本
体１の上面との間に隙間Ｈが形成されることから、屋根下地Ｒと瓦Ｗの裏面に挟まれた空
間の空気は何処でも滞りなく、スムーズ且つ自由に移動し流通する。
【図面の簡単な説明】
【００１５】
【図１】実施例１の瓦桟の斜視図である。
【図２】同上瓦桟の使用状態を示す図であり剣突設部位での概略断面図である。
【図３】同上瓦桟の使用状態を示す図であり剣間の中心部位での概略断面図である。
【図４】実施例２の瓦桟の斜視図である。
【図５】実施例３の瓦桟の斜視図である。
【図６】同上瓦桟の使用状態を示す平面図である。
【図７】図６の部分拡大背面図である。
【符号の説明】
【００１６】
１        瓦桟本体
２        上面
３、3a…  受承部
４、4a…  係止部
６        立面
７        係止片
【図１】
2006342536.tif 000003
【図２】
2006342536.tif 000004
【図３】
2006342536.tif 000005
【図４】
2006342536.tif 000006
【図５】
2006342536.tif 000007
【図６】
2006342536.tif 000008
【図７】
2006342536.tif 000009